(57)【要約】【課題】電子機器の外観デザインや防水性を損なうことなく、簡便かつ容易に防水カバーを取り付けることが可能な電子機器を提供すること。【解決手段】機器筐体１０と、機器筐体１０のおもて面に設置されるスクリーン４０と、機器筐体１０に形成された筐体開口部１１を覆う防水カバー５０と、機器筐体１０からの防水カバー５０の脱落を阻止するストッパ部材６０とを備え、ストッパ部材６０は、おもて面に形成されたストッパ用挿入孔１４から挿入されて機器筐体１０内の所定位置に設置され、スクリーン４０は、ストッパ用挿入孔１４を覆うようにおもて面に設置されている電子機器１。【選択図】図３
2013225783.tif 000002
【特許請求の範囲】
【請求項１】
機器筐体と、前記機器筐体のおもて面に設置されるスクリーンと、前記機器筐体に形成された筐体開口部を覆う防水カバーと、前記機器筐体からの前記防水カバーの脱落を阻止するストッパ部材とを備え、
前記ストッパ部材は、前記おもて面に形成されたストッパ用挿入孔から挿入されて前記機器筐体内の所定位置に設置され、
前記スクリーンは、前記ストッパ用挿入孔を覆うように前記おもて面に設置されていることを特徴とする電子機器。
【請求項２】
前記ストッパ部材は、前記筐体開口部から前記防水カバーを取り外した状態で外部に露出し、前記筐体開口部に前記防水カバーを取り付けた状態で前記防水カバーによって覆われることを特徴とする請求項１に記載の電子機器。
【請求項３】
前記機器筐体内に配置されたガスケットを更に備え、
前記筐体開口部は、前記機器筐体の側面に形成され、
前記防水カバーは、前記筐体開口部に対して着脱可能に取り付けられるカバー本体部と、前記カバー本体部から延出するカバー延出部と、前記カバー延出部に形成され前記ストッパ部材に係合するためのストッパ用係合部とを有し、
前記カバー延出部は、前記筐体開口部に対して前記カバー本体部を取り付けた状態で、前記おもて面に平行で前記筐体開口部に対して前記カバー本体部を取り付ける第１の方向に対して斜めに、前記機器筐体内に収容され、
前記ガスケットは、前記おもて面に垂直な第２の方向において前記カバー延出部に重なる位置に配置されていることを特徴とする請求項１または請求項２に記載の電子機器。
【請求項４】
前記機器筐体は、第１の機器筐体と第２の機器筐体とから少なくとも構成され、
前記ガスケットは、前記第１の機器筐体と前記第２の機器筐体との間に介在して配置されていることを特徴とする請求項３に記載の電子機器。
【請求項５】
前記機器筐体は、前記おもて面側に形成された第１の筐体係合部と、前記おもて面とは反対側の裏面側に形成された第２の筐体係合部とを有し、
前記ストッパ部材は、前記第１の筐体係合部に係合する第１のストッパ係合部と、前記第２の筐体係合部に係合する第２のストッパ係合部とを有していることを特徴とする請求項１乃至請求項４のいずれか１項に記載の電子機器。
【請求項６】
前記第１の筐体係合部は、前記ストッパ用挿入孔の縁部であることを特徴とする請求項５に記載の電子機器。
【請求項７】
前記ストッパ部材は、前記第１の筐体係合部および前記第１のストッパ係合部の係合によって、前記おもて面側への移動を規制されていることを特徴とする請求項５または請求項６に記載の電子機器。
【請求項８】
前記ストッパ部材は、ストッパ本体部と、前記ストッパ本体部から延出する弾性片とを有し、
前記第１のストッパ係合部は、前記ストッパ本体部および前記弾性片にそれぞれ形成され、
前記ストッパ用挿入孔に対して前記ストッパ部材を通過させる際に、前記弾性片が前記ストッパ用挿入孔の縁部によって押されて前記ストッパ本体部に近づくように弾性変形するとともに、前記機器筐体に対して前記ストッパ部材を取り付けた状態で、前記ストッパ本体部および前記弾性片の前記第１のストッパ係合部が前記ストッパ用挿入孔の縁部に係合し、前記弾性片の弾性変形した状態が維持されるように、
前記ストッパ用挿入孔および前記ストッパ部材が形成されていることを特徴とする請求項５乃至請求項７のいずれか１項に記載の電子機器。
【請求項９】
前記機器筐体は、前記カバー延出部の移動時に前記カバー延出部を案内するガイド部を有し、
前記ガイド部は、前記機器筐体に対する前記ストッパ部材の挿入時に、前記ストッパ部材を前記機器筐体内の所定位置に案内する位置に形成されていることを特徴とする請求項１乃至請求項８のいずれか１項に記載の電子機器。
【請求項１０】
前記スクリーンは、両面テープを介して前記おもて面に固着されていることを特徴とする請求項１乃至請求項９のいずれか１項に記載の電子機器。
【発明の詳細な説明】
【技術分野】
【０００１】
本発明は、電子機器に関し、特に、防水カバーを備えた携帯電子機器に関する。
【背景技術】
【０００２】
従来、機器筐体の筐体開口部を覆う防水カバーを備えた電子機器が知られている（例えば、特許文献１参照。）。
【先行技術文献】
【特許文献】
【０００３】
【特許文献１】特開２００９−１１１７２０号公報
【発明の概要】
【発明が解決しようとする課題】
【０００４】
ところが、電子機器に防水カバーを設ける場合、防水対象の形状や位置、電子機器の防水性、電子機器の組立容易性など、様々な設計上の制約や要求を考慮しなければならず、そのため、特許文献１の電子機器のように、機器筐体によって防水カバーを直接的に保持することが難しい場合がある。また、同時に、電子機器の外面に部品分割線を極力作らないなどの電子機器の外観デザイン上の要求もある。
【０００５】
そこで、本発明は、従来の問題を解決するものであって、すなわち、本発明の目的は、電子機器の外観デザインや防水性を損なうことなく、簡便かつ容易に防水カバーを取り付けることが可能な電子機器を提供することである。
【課題を解決するための手段】
【０００６】
本発明の電子機器は、機器筐体と、前記機器筐体のおもて面に設置されるスクリーンと、前記機器筐体に形成された筐体開口部を覆う防水カバーと、前記機器筐体からの前記防水カバーの脱落を阻止するストッパ部材とを備え、前記ストッパ部材は、前記おもて面に形成されたストッパ用挿入孔から挿入されて前記機器筐体内の所定位置に設置され、前記スクリーンは、前記ストッパ用挿入孔を覆うように前記おもて面に設置されていることにより、前述した課題を解決したものである。
【発明の効果】
【０００７】
本発明の電子機器では、スクリーンを設置する機器筐体のおもて面にストッパ用挿入孔を形成し、ストッパ部材およびストッパ用挿入孔をスクリーンによって覆うことにより、ストッパ部材およびストッパ用挿入孔が電子機器の外面に露出することが回避されるため、電子機器の外面に部品分割線が形成されることを回避して、電子機器の外観デザインが損なわれることを防止できる。
【０００８】
また、ストッパ用挿入孔を機器筐体のおもて面に形成することにより、スクリーンによってストッパ用挿入孔を覆うことが可能になり、スクリーンによってストッパ用挿入孔を止水して、電子機器の防水性を維持できる。
【０００９】
また、機器筐体によって防水カバーを直接的に保持することが難しい場合であっても、ストッパ部材を用いることで防水カバーを機器筐体に簡便かつ容易に取り付けることができる。
【００１０】
また、機器筐体にストッパ用挿入孔を形成することにより、機器筐体を完成させ機器筐体内に電子部品などを設置した後であっても、ストッパ用挿入孔を通してストッパ部材を機器筐体に組み付けることも可能であるため、電子機器の組立容易性を向上できる。
【図面の簡単な説明】
【００１１】
【図１】本発明の一実施形態である電子機器を示す斜視図である。
【図２】筐体開口部から防水カバーを取り外し防水カバーを引き出した状態の電子機器を示す斜視図である。
【図３】電子機器を示す分解斜視図である。
【図４】図３とは異なる方向から見て電子機器を示す分解斜視図である。
【図５】防水カバーおよびストッパ部材を示す斜視図である。
【図６】図５とは異なる方向から見て防水カバーおよびストッパ部材を示す斜視図である。
【図７】電子機器を断面視して示す説明図である。
【図８】図７とは異なる位置で電子機器を断面視して示す説明図である。
【図９】比較例の電子機器を示す分解斜視図である。
【図１０】図９に示す電子機器を断面視して示す説明図である。
【発明を実施するための形態】
【００１２】
以下、本発明の電子機器の一実施形態を図面に基づいて説明する。
【００１３】
なお、以下の説明では、機器筐体のおもて面に平行で筐体開口部に対してカバー本体部を取り付ける方向を第１の方向Ｘ、機器筐体のおもて面に垂直な方向を第２の方向Ｙ、第１の方向Ｘおよび第２の方向Ｙに直交する方向を第３の方向Ｚとして規定する。
【実施例】
【００１４】
本発明の一実施形態である電子機器１は、携帯電子機器（所謂スマートフォン）として構成され、図２や図３に示すように、機器筐体１０と、スクリーン４０と、防水カバー５０と、ストッパ部材６０と、ガスケット７０と、機器側コネクタ８０と、電子部品９０とを備えている。
【００１５】
機器筐体１０は、図１に示すように、第１の機器筐体２０と、第１の機器筐体２０に固定される第２の機器筐体３０とから構成されている。機器筐体１０は、おもて面と、おもて面の反対側の裏面と、４つの側面とを含む６面体として構成されている。なお、本実施形態では、機器筐体１０を２つの部材（第１の機器筐体２０、第２の機器筐体３０）から構成しているが、機器筐体１０を構成する部材数は如何なるものでもよく、また、機器筐体１０を単一の部材として一体に形成してもよい。
【００１６】
機器筐体１０は、筐体開口部１１と、止水壁１２と、カバー用係合部１３と、ストッパ用挿入孔１４と、第１の筐体係合部１４ａと、収容部１５と、裏面側孔部１６と、第２の筐体係合部１６ａと、コネクタ収容部１７と、電子部品収容部１８と、ガイド部１９とを有している。なお、これら機器筐体１０の各部は、第１の機器筐体２０および第２の機器筐体３０のいずれか一方に形成すればよい。
【００１７】
筐体開口部１１は、図２や図３に示すように、機器筐体１０の一側面に形成され、外部コネクタ（図示しない）を機器筐体１０の内部に挿入させるコネクタ用開口部である。筐体開口部１１から挿入された外部コネクタ（図示しない）は、機器筐体１０内に設置された機器側コネクタ８０に嵌合して電気的に接続される。筐体開口部１１は、コネクタ収容部１７に連通している。
【００１８】
止水壁１２は、図２や図３に示すように、筐体開口部１１を形成した機器筐体１０の前記側面に形成され、防水カバー５０を筐体開口部１１に対して取り付けた際に、防水カバー５０のシール部５２が嵌め込まれ、シール部５２と密着する部位である。
【００１９】
カバー用係合部１３は、図２や図３に示すように、筐体開口部１１を形成した機器筐体１０の前記側面に形成され、防水カバー５０を筐体開口部１１に対して取り付けた際に、防水カバー５０の筐体用係合部５３と係合する部位である。
【００２０】
ストッパ用挿入孔１４は、図３や図７に示すように、機器筐体１０のおもて面に形成され、機器筐体１０の外側から内側に向けてストッパ部材６０を第２の方向Ｙに沿って挿入させる孔である。
【００２１】
第１の筐体係合部１４ａは、図７や図８に示すように、機器筐体１０のおもて面側に形成され、機器筐体１０に対してストッパ部材６０を取り付けた際に、ストッパ部材６０の第１のストッパ係合部６４ａに係合する部位である。本実施形態では、ストッパ用挿入孔１４の縁部が、第１の筐体係合部１４ａとして機能している。このように、第１の筐体係合部１４ａとしてストッパ用挿入孔１４の縁部を用いた場合、ストッパ用挿入孔１４とは別途に第１の筐体係合部１４ａを設ける必要がなく、機器筐体１０の構造が簡便になる。しかしながら、ストッパ用挿入孔１４とは別途に、第１の筐体係合部１４ａを形成してもよい。
【００２２】
収容部１５は、図２や図３に示すように、防水カバー５０の一部（カバー延出部５４、ストッパ用係合部５４ａ）およびストッパ部材６０を収容する空間である。収容部１５は、図３に示すように、ストッパ用挿入孔１４および機器内部に連通するとともに、筐体開口部１１を形成した機器筐体１０の前記側面において開口している。この機器筐体１０の前記側面における収容部１５の開口部は、図２に示すように、機器筐体１０に対してストッパ部材６０を取り付けた際には、ストッパ部材６０によって塞がれ、図１に示すように、防水カバー５０を筐体開口部１１に対して取り付けた際には、防水カバー５０によっても覆われる。
【００２３】
第２の筐体係合部１６ａは、図７に示すように、機器筐体１０の裏面側に形成され、機器筐体１０に対してストッパ部材６０を取り付けた際に、ストッパ部材６０の第２のストッパ係合部６４ｂに係合する部位である。本実施形態では、図７に示すように、機器筐体１０の裏面側において第１の機器筐体２０に形成された裏面側孔部１６の縁部が、第２の筐体係合部１６ａとして機能している。裏面側孔部１６には、ストッパ部材６０の脚部６３が挿入される。なお、裏面側孔部１６は、ガスケット７０の外側に位置しているため、止水の必要はない。
【００２４】
コネクタ収容部１７は、図２に示すように、機器側コネクタ８０を収容する空間である。コネクタ収容部１７は、筐体開口部１１に連通している。
【００２５】
電子部品収容部１８は、図７や図８に示すように、電子部品９０を収容する空間である。
【００２６】
ガイド部１９は、図７に示すように、防水カバー５０のカバー延出部５４の移動時、すなわち、カバー延出部５４を機器筐体１０内から引き出す際およびカバー延出部５４を機器筐体１０内に向けて収容する際に、カバー延出部５４をガイドする部位である。ガイド部１９は、図７に示すように、第３の方向Ｚに見た場合、機器筐体１０の内側に向うにつれて機器筐体１０のおもて面側に近づくように傾斜している。ガイド部１９は、機器筐体１０に対してストッパ部材６０を取り付ける際に、ストッパ部材６０を機器筐体１０内の所定位置に案内する部位としても機能し、すなわち、裏面側孔部１６にストッパ部材６０の脚部６３が挿入され第２の筐体係合部１６ａおよび第２のストッパ係合部６４ｂが係合するようにストッパ部材６０を案内する部位としても機能する。このように、ガイド部１９に、カバー延出部５４の案内機能およびストッパ部材６０の案内機能を併せて担わせることにより、機器筐体１０の構造が簡便になる。
【００２７】
スクリーン４０は、図３や図７に示すように、ストッパ用挿入孔１４を覆うように、固着部４１を介して機器筐体１０のおもて面に固着されている。ストッパ用挿入孔１４は、機器の表示側であることからスクリーン４０を固定する固着部４１にて周囲を止水することが可能である。なお、本実施形態では、固着部４１は、両面テープとして構成されているが、その具体的態様は如何なるものでもよい。
【００２８】
防水カバー５０は、筐体開口部１１に対して着脱可能に取り付けられ、図１に示すように、筐体開口部１１に対して取り付けられた際には、筐体開口部１１を覆って機器側コネクタ８０を防水し、図２に示すように、筐体開口部１１から取り外された際には、機器筐体１０の外側に向けて引き出されるように構成されている。
【００２９】
防水カバー５０は、樹脂から形成され、図５や図６に示すように、カバー本体部５１と、シール部５２と、筐体用係合部５３と、カバー延出部５４と、ストッパ用係合部５４ａとを一体に有している。
【００３０】
カバー本体部５１は、図１や図２に示すように、筐体開口部１１に対して着脱可能に取り付けられ、筐体開口部１１に対して取り付けられた際に、筐体開口部１１を覆う部位である。カバー本体部５１は、図１に示すように、筐体開口部１１に対して取り付けられた際に、ストッパ部材６０についても覆い、ストッパ部材６０の外部露出を防止する。
【００３１】
シール部５２は、図２に示すように、カバー本体部５１に形成され、防水カバー５０を筐体開口部１１に対して取り付けた際に、機器筐体１０の止水壁１２に嵌め込まれ、止水壁１２に密着して筐体開口部１１をシールする部位である。
【００３２】
筐体用係合部５３は、図２や図５に示すように、防水カバー５０を筐体開口部１１に対して取り付けた際に、機器筐体１０のカバー用係合部１３に係合する部位である。筐体用係合部５３およびカバー用係合部１３の係合によって、筐体開口部１１に対して防水カバー５０を取り付けた状態が維持される。
【００３３】
カバー延出部５４は、図２や図５や図７に示すように、カバー本体部５１から延出し、防水カバー５０を筐体開口部１１に対して取り付けた際に、機器筐体１０の収容部１５内に収容され、防水カバー５０を筐体開口部１１から取り外し機器筐体１０の外側に向けて引き出した際に、機器筐体１０の外部に引き出される部位である。カバー延出部５４は、柔軟性を有している。カバー延出部５４は、図７や図８に示すように、第３の方向Ｚから見た場合に、第１の方向Ｘおよび第２の方向Ｙのいずれに対しても斜めになるように、収容部１５内に収容される。カバー延出部５４は、図５に示すように、複数箇所で、僅かに屈曲している。
【００３４】
ストッパ用係合部５４ａは、図５や図７に示すように、カバー延出部５４の先端側に形成され、防水カバー５０を筐体開口部１１から取り外して機器筐体１０の外側に向けて引き出した際に、ストッパ部材６０に係合する部位である。このストッパ用係合部５４ａとストッパ部材６０との係合によって、機器筐体１０からの防水カバー５０の脱落が阻止される。ストッパ用係合部５４ａは、機器への挿入が容易で組立性を悪化させず、ストッパ部材６０との係合によって防水カバー５０の脱落を阻止することが可能であるとともに、防水カバー５０に対して不用意な外力がかかった場合であっても、防水カバー５０が抜け、防水カバー５０やストッパ部材６０を含む機器全体が破損することを防止することが可能な形状を有している。
【００３５】
ストッパ部材６０は、図５乃至図８に示すように、機器筐体１０のストッパ用挿入孔１４から機器筐体１０内に第２の方向Ｙに沿って挿入されることで、機器筐体１０内の所定位置に設置され、防水カバー５０に係合して機器筐体１０からの防水カバー５０の脱落を阻止する部材である。ストッパ部材６０は、ネジ等の固定部材を用いることなく、機器筐体１０に対して固定状態で取り付けられている。
【００３６】
ストッパ部材６０は、プラスチックなどの樹脂から形成され、図５乃至図８に示すように、ストッパ本体部６１と、ストッパ本体部６１から延出する弾性変形可能な弾性片６２と、ストッパ本体部６１から延出する一対の脚部６３と、第１のストッパ係合部６４ａと、第２のストッパ係合部６４ｂとを一体に有している。
【００３７】
第１のストッパ係合部６４ａは、図５乃至図８に示すように、ストッパ本体部６１の機器筐体１０のおもて面側の先端部と、弾性片６２の先端部とにそれぞれ形成されている。第１のストッパ係合部６４ａは、段差状にそれぞれ形成され、機器筐体１０に対してストッパ部材６０を取り付けた状態で、機器筐体１０の第１の筐体係合部１４ａに係合する。ストッパ部材６０は、第１のストッパ係合部６４ａおよび第１の筐体係合部１４ａの係合によって、機器筐体１０のおもて面側への移動を規制される。
【００３８】
第２のストッパ係合部６４ｂは、一対の脚部６３の先端部にそれぞれ形成されている。第２のストッパ係合部６４ｂは、機器筐体１０に対してストッパ部材６０を取り付けた状態で、機器筐体１０の第２の筐体係合部１６ａに係合する。ストッパ部材６０は、第２のストッパ係合部６４ｂおよび第２の筐体係合部１６ａの係合によって、機器筐体１０の裏面側への移動を規制される。
【００３９】
ガスケット７０は、シリコンゴムやエラストマなどの樹脂から形成され、図７や図８に示すように、第１の機器筐体２０と第２の機器筐体３０との間に密な状態で介在して配置され、第１の機器筐体２０と第２の機器筐体３０との間をシールし、電子部品収容部１８に水が侵入することを防止する。ガスケット７０は、図７や図８に示すように、第２の方向Ｙにおいて、防水カバー５０のカバー延出部５４に重なる位置に配置されている。
【００４０】
つぎに、機器筐体１０に対するストッパ部材６０の取り付け方法および取り付け時における各部の作用について、以下に説明する。
【００４１】
まず、機器筐体１０にスクリーン４０が取り付けられていない状態で、ストッパ部材６０の脚部６３側を先頭にして、ストッパ部材６０をストッパ用挿入孔１４から機器筐体１０内に第２の方向Ｙに沿って挿入する。
【００４２】
この際、ストッパ部材６０の脚部６３側は、ストッパ用挿入孔１４の縁部に物理的に干渉することなく、ストッパ用挿入孔１４を通過する。
【００４３】
そして、ストッパ部材６０を更に第２の方向Ｙに押し進め、ストッパ部材６０の弾性片６２側がストッパ用挿入孔１４を通過する際には、弾性片６２がストッパ用挿入孔１４の縁部によって押されてストッパ本体部６１に近づくように弾性変形する。
【００４４】
そして、機器筐体１０に対するストッパ部材６０の取り付けを完了した状態では、ストッパ本体部６１および弾性片６２に形成された第１のストッパ係合部６４ａがストッパ用挿入孔１４の縁部（第１の筐体係合部１４ａ）に係合して、弾性片６２の弾性変形した状態が維持されるとともに、脚部６３に形成された第２のストッパ係合部６４ｂが機器筐体１０の裏面側に形成された第２の筐体係合部１６ａに係合する。
【００４５】
以上のように、ストッパ部材６０は、機器筐体１０に対する挿入の一動作のみで、ネジ等の固定部材を用いることなく、弾性片６２の弾性を利用して機器筐体１０との間のガタを排除した状態で、機器筐体１０に対して容易かつ簡便に取り付けられる。
【００４６】
このようにして得られた本実施形態の電子機器１では、スクリーン４０を設置する機器筐体１０のおもて面にストッパ用挿入孔１４を形成し、ストッパ部材６０およびストッパ用挿入孔１４をスクリーン４０によって覆うことにより、ストッパ部材６０およびストッパ用挿入孔１４が電子機器１の外面に露出することが回避されるため、電子機器１の外面に部品分割線が形成されることを回避して、電子機器１の外観デザインが損なわれることを防止できる。
【００４７】
上記効果について図９や図１０に示す比較例を用いて説明すると、比較例の電子機器１０１では、機器筐体１１０の裏面に形成されたストッパ用挿入孔１１４からストッパ部材１６０が嵌め込まれる構造を備えているため、ストッパ部材１６０およびストッパ用挿入孔１１４が電子機器１０１の外面に露出し、電子機器１０１の外面に部品分割線が形成され、電子機器１０１の外観デザインが損なわれる。これに対して、本実施形態の電子機器１では、上述したように、ストッパ部材６０およびストッパ用挿入孔１４が電子機器１の外面に露出することが回避される。なお、図９の符号１２０は、第１の機器筐体を示し、図９の符号１３０は、第２の機器筐体を示し、図１０の符号１４０は、スクリーンを示し、図１０の符号１４１は、スクリーン１４０を機器筐体１１０に固着する固着部を示している。
【００４８】
また、本実施形態の電子機器１では、ストッパ用挿入孔１４を機器筐体１０のおもて面に形成することにより、スクリーン４０によってストッパ用挿入孔１４を覆うことが可能になり、スクリーン４０によってストッパ用挿入孔１４を止水して、電子機器１の防水性を維持できる。
【００４９】
また、機器筐体１０によって防水カバー５０を直接的に保持することが難しい場合であっても、ストッパ部材６０を用いることで防水カバー５０を機器筐体１０に簡便かつ容易に取り付けることができる。
【００５０】
また、機器筐体１０にストッパ用挿入孔１４を形成することにより、機器筐体１０を完成させ（本実施形態の場合、第１の機器筐体２０および第２の機器筐体３０の組み付け）機器筐体１０内に電子部品９０などを設置した後であっても、ストッパ用挿入孔１４を通してストッパ部材６０を機器筐体１０に組み付けることも可能であるため、電子機器１の組立容易性を向上できる。
【００５１】
また、筐体開口部１１を形成した機器筐体１０の側面においても、ストッパ部材６０および収容部１５をカバー本体部５１によって覆うことにより、部品分割線が電子機器１の外面に形成されることを回避して、電子機器１の外観デザインが損なわれることを回避できる。
【００５２】
また、防水カバー５０のカバー延出部５４を第１の方向Ｘに対して斜めになるように機器筐体１０内に収容することにより、カバー延出部５４の長さを充分に確保しつつ、カバー延出部５４を収容する収容部１５の第１の方向Ｘの寸法を低減できるとともに、カバー延出部５４を第１の方向Ｘに対して斜めに収容することによって生じたスペースを利用して、第２の方向Ｙにおいてカバー延出部５４に重なる位置にガスケット７０を配置することができるため、第１の方向Ｘにおける電子機器１の小型化を実現できる。
【００５３】
上記効果について図９や図１０に示す比較例を用いて説明すると、比較例の電子機器１０１では、防水カバー１５０のカバー延出部１５４が第１の方向Ｘに沿って機器筐体１１０内に収容されるため、カバー延出部１５４を収容する収容部１１５の第１の方向Ｘの寸法をカバー延出部１５４の長さに相当する長さ分だけ確保する必要があり、第１の方向Ｘにおける電子機器１０１の小型化が阻害されている。また、比較例の電子機器１０１では、図１０に示すように、収容部１１５を避けるように、第１の方向Ｘにおいてガスケット１７０が収容部１１５に並置されているため、第１の方向Ｘにおける電子機器１０１の小型化が阻害されている。これに対して、本実施形態の電子機器１では、上述したように、第１の方向Ｘにおける電子機器１の小型化を実現できる。
【符号の説明】
【００５４】
１      ・・・  電子機器
１０    ・・・  機器筐体
１１    ・・・  筐体開口部
１２    ・・・  止水壁
１３    ・・・  カバー用係合部
１４    ・・・  ストッパ用挿入孔
１４ａ  ・・・  第１の筐体係合部
１５    ・・・  収容部
１６    ・・・  裏面側孔部
１６ａ  ・・・  第２の筐体係合部
１７    ・・・  コネクタ収容部
１８    ・・・  電子部品収容部
１９    ・・・  ガイド部
２０    ・・・  第１の機器筐体
３０    ・・・  第２の機器筐体
４０    ・・・  スクリーン
４１    ・・・  固着部
５０    ・・・  防水カバー
５１    ・・・  カバー本体部
５２    ・・・  シール部
５３    ・・・  筐体用係合部
５４    ・・・  カバー延出部
５４ａ  ・・・  ストッパ用係合部
６０    ・・・  ストッパ部材
６１    ・・・  ストッパ本体部
６２    ・・・  弾性片
６３    ・・・  脚部
６４ａ  ・・・  第１のストッパ係合部
６４ｂ  ・・・  第２のストッパ係合部
７０    ・・・  ガスケット
８０    ・・・  機器側コネクタ
９０    ・・・  電子部品
Ｘ      ・・・  第１の方向
Ｙ      ・・・  第２の方向
Ｚ      ・・・  第３の方向
【図１】
2013225783.tif 000003
【図２】
2013225783.tif 000004
【図３】
2013225783.tif 000005
【図４】
2013225783.tif 000006
【図５】
2013225783.tif 000007
【図６】
2013225783.tif 000008
【図７】
2013225783.tif 000009
【図８】
2013225783.tif 000010
【図９】
2013225783.tif 000011
【図１０】
2013225783.tif 000012